(57)【要約】【課題】本発明は、無線遠隔通信ネットワーク用の改良された新しいページング・システムおよび／または方法を提供することを目的とする。【解決手段】本発明に従った方法は、移動局（４０）が新しい位置登録エリア（２２）に入る度に移動局（４０）から登録信号を受信する工程と、登録信号がそこから最後に受信された位置登録エリア（２２）を記憶する工程と、移動局（４０）がネットワーク（Ａ）にアクセスするためにどのセル（３２）を使用するかモニタする工程と、ネットワーク（Ａ）にアクセスするために移動局（４０）によって最後に使用されたセル（３２）を記憶する工程と、移動局（４０）が探されるとき、選択済み位置登録エリア（２２）をページングする工程であって、ページングされる位置登録エリア（２２）が記憶済み位置登録エリア（２２）および記憶済みセル（３２）に基づいて選択される工程とを含む。【選択図】図２
2006238450.tif 000002
【特許請求の範囲】
【請求項１】
移動局がネットワークにアクセスするために選択的に使用する対応するセルにサービスする複数の基地局を含み、複数の位置登録エリアが定義され、各位置登録エリアが複数のセルを含む、無線遠隔通信ネットワークによってサービスされる移動局をページングする方法であって、
（ａ）前記移動局が新しい位置登録エリアに入る度に前記移動局から登録信号を受信する工程と、
（ｂ）前記登録信号を最後に受信した位置登録エリアを記憶する工程と、
（ｃ）前記移動局が前記ネットワークにアクセスするためにどのセルを使用するかモニタする工程と、
（ｄ）前記ネットワークにアクセスするために前記移動局によって最後に使用されたセルを記憶する工程と、
（ｅ）前記移動局が探されるとき、選択された位置登録エリアをページングする工程であって、ページングされる位置登録エリアが登録信号を最後に受信した位置登録エリアと前記移動局が最後に使用したセルとに基づいて選択される工程とを含む方法。
【請求項２】
ページングするために選択された前記位置登録エリアが、
（ｉ）前記記憶済み位置登録エリアと、
（ｉｉ）前記記憶済み位置登録エリア内の前記記憶済みセルの位置に応じて、前記記憶済み位置登録エリアに隣接するゼロ個または１個または複数の位置登録エリアとを含む、請求項１に記載の方法。
【請求項３】
前記記憶済みセルの前記位置が前記記憶済み位置登録エリアの内部に近い場合、前記記憶済み位置登録エリアに隣接するゼロ個の位置登録エリアがページングするために選択される、請求項２に記載の方法。
【請求項４】
前記記憶済みセルの前記位置が前記記憶済み位置登録エリアの外部境界の近くにある場合、前記記憶済みセルに最も近いいくつかの隣接する位置登録エリアがページングするために選択される、請求項２に記載の方法。
【請求項５】
前記記憶済み位置登録エリアがＮ個の隣接する位置登録エリアを有し、ページングするために選択される隣接する位置登録エリアの数がＮ個より少ない、請求項１に記載の方法。
【請求項６】
移動局がネットワークにアクセスするために選択的に使用する対応するセルにサービスする複数の基地局を含み、複数の位置登録エリアが定義され、各位置登録エリアが複数の前記セルを含む、無線遠隔通信ネットワークによって移動局をページングするためのシステムであって、
前記移動局が新しい位置登録エリアに入る度に前記移動局から登録信号を受信するための受信手段と、
前記登録信号を最後に受信した前記位置登録エリアを記憶するための位置登録エリア記憶手段と、
前記移動局が前記ネットワークにアクセスするためにどのセルを使用するかモニタするためのモニタリング手段と、
前記ネットワークにアクセスするために前記移動局によって最後に使用された前記セルを記憶するためのセル記憶手段と、
前記移動局が探されているとき、選択済み位置登録エリアをページングするためのページング手段であって、ページングされる前記位置登録エリアが位置登録エリア記憶手段にある記憶済み位置登録エリアおよび前記セル記憶手段にある記憶済みセルに基づいて選択されるページング手段とを含むシステム。
【請求項７】
前記ページング手段によってページングするために選択された前記位置登録エリアが、
（ｉ）前記記憶済み位置登録エリアと、
（ｉｉ）前記記憶済み位置登録エリア内の前記記憶済みセルの位置に応じて、前記記憶済み位置登録エリアに隣接するゼロ個または１個または複数の位置登録エリアとを含む、請求項６に記載のシステム。
【請求項８】
前記記憶済みセルの前記位置が前記記憶済み位置登録エリアの内部の近くにある場合、前記記憶済み位置登録エリアに隣接するゼロ個の位置登録エリアが前記ページング手段によってページングするために選択される、請求項７に記載のシステム。
【請求項９】
前記記憶済みセルの前記位置が前記記憶済み位置登録エリアの外部境界の近くにある場合、前記記憶済みセルに最も近いいくつかの隣接する位置登録エリアが前記ページング手段によってページングするために選択される、請求項７に記載のシステム。
【請求項１０】
前記記憶済み位置登録エリアがＮ個の隣接する位置登録エリアを有し、前記ページング手段によってページングするために選択される隣接する位置登録エリアの数がＮ個より少ない、請求項６に記載のシステム。
【発明の詳細な説明】
【技術分野】
【０００１】
本発明の主題は、無線または移動遠隔通信技術に関する。これは特に移動局（ＭＳ）のページングに関連して利用され、本明細書では、特にこのページングに関して論じる。ただし、本発明の主題の諸態様は、その他の同様の用途にも適用可能であるものと理解されたい。
【背景技術】
【０００２】
無線または移動遠隔通信ネットワークは、当技術分野では一般によく知られている。ＭＳ（たとえば移動電話またはその他の移動または無線のエンド・ユーザ装置）は、サービス、および／または無線ネットワークへのアクセス権を、基地局（ＢＳ）とのＯＴＡ（ｏｖｅｒ−ｔｈｅ−ａｉｒ）無線周波インターフェースを介して取得する。各ＢＳは、セルとして知られている特定の地理的カバレージ・エリアにＯＴＡインターフェースを提供し、そのエリアにサービスする。一般に、複数の基地局は、特定のＭＳのためのトラフィックをそのＭＳに現在サービスしている適当なＢＳに（すなわち、そのＭＳが現在位置するセルに）経路指定することを担当する移動通信交換局（ＭＳＣ）に動作可能に接続され、かつ／またはそれによってサービスされる。
【０００３】
移動通信における「移動性」は、普通、部分的にはＢＳとＭＳの間の２本の通信チャネル、すなわち、ページング・チャネルおよびアクセス・チャネルを介して達成される。ページング・チャネルは、ネットワーク内のＭＳの位置を検証しかつ／または確定し、着呼をＭＳに送達するために使用される。アクセス・チャネルは、ＭＳによって登録目的で、すなわちＭＳの電源オン報告、ＭＳの位置変更報告などのために使用される。
【０００４】
一般に、モバイル・サービス・プロバイダは、増加するモバイル加入者にサービスするために、最頻時発呼数（ＢＨＣＡ）を最大化しようと努力する。しかし、この目的を達成するための障害は、ページング・チャネル帯域幅を十分に利用できないことである。呼出し容量を増大させる既知の方法はあるが、それには、しばしばかなりの費用および／またはリード・タイム、たとえば新しい帯域幅の追加が必要である。したがって、既存のページング・チャネル帯域幅の使用を最適化することが望ましい。
【０００５】
従来、あるＭＳを呼び出すための着呼がＭＳＣに到着したとき、ＭＳＣ全体の全てのセルがそのＭＳにコンタクトしてその呼を送達するためにページングされていた。すなわち、ＭＳＣは、それがサービスしている全ての基地局に信号を送り、それらのページング・チャネルを介してページング信号を送信し、全セルのうちの１個のセル内にあるそのＭＳの位置を検証または確定していた。しかし、この手法は、所与のどんな場合でも、ＭＳＣによってサービスされる地理的領域内のセルが全て呼び出されるので、かなりの量のページング・チャネル帯域幅を使用していた。
【０００６】
最近の改良は、ＭＳＣによってサービスされるセルを複数のゾーン、すなわち位置登録エリア（ＬＡ）として知られる隣接するセルのグループに分割し、探されているＭＳが最後に知られたＬＡにあるセルだけをページングし始めることであった。こうすると、所与のどんな場合にも、少数のセルしかＭＳを呼び出すように指令されないので、ページング・チャネルの負担は軽減されたが、ＬＡの境界が横断される度にＭＳによってＭＳＣに登録メッセージが送られるので、アクセス・チャネルの負担は増大した。すなわち、どんな所与の時間にも、ＭＳがどのＬＡにあるかＭＳＣに知らせるために、ＭＳは新しいＬＡに入る度にアクセス・チャネルを使用してＭＳＣに信号を送っていた。ＬＡがより小さいことは、ＬＡの境界が互いにより近接していることを意味し、これは、モバイル加入者が移動するとき、より多くの境界を横切る可能性が大きくなることを意味する。したがって、１ＭＳＣごとのＬＡの数が増大すれば、ＬＡそれぞれのサイズは小さくなり、ページング・チャネルにかかる負担は軽減されるが、その代償としてアクセス・チャネルにかかる負担は増大する。サービス・プロバイダは、１ＭＳＣごとに多数のＬＡを作成すると、結果としてアクセス・チャネルに負担がかかりすぎることに気がついた。しかし、より多くのモバイルおよび／またはより多くのサービスをサポートするために、ページング・チャネルの負担を軽減することは依然として望まれる。
【０００７】
ＭＳをページングするための一般的に効果的な手法は、小さな地理的エリアをページングし始め、応答がない場合は、ページングされるエリアのサイズを広げることである。したがって、ＭＳを探すときは、通常、最後に見られた、あるいはそのＭＳ用に最後に登録されたＬＡだけを最初にページングする。第１の試みに対して、ページングされたＭＳから応答がない場合は、いわゆるＬＡクラスタ（ＬＡＣ）ページングを使用して第２の呼出しの試みを行う。従来のＬＡＣページングでは、最後に見られたまたは最後に登録されたＬＡが、それに隣接する全てのＬＡと一緒にページングを受ける。
【０００８】
たとえば、図１を使用して従来のＬＡＣページング構成を示す。図に示すように、３つのＭＳＣ、すなわちＭＳＣ１、ＭＳＣ２およびＭＳＣ３が隣接する地理的エリアにサービスする。各ＭＳＣは複数のＬＡに分割されたカバレッジ・エリアを有する。図の例では、ＭＳＣ１はＬＡ１〜ＬＡ８にサービスし、ＭＳＣ２はＬＡ９〜ＬＡ１１にサービスし、ＭＳＣ３はＬＡ１２〜ＬＡ１４にサービスする。各ＬＡは、たとえばＬＡ５で図示されているように、複数のセルを含む。ＭＳがＬＡの間を移動するとき、新しいＬＡに入る度に、すなわち、１個のＬＡから次のＬＡに移る度に、つまり１つのＬＡ境界を横切る度に、現在の位置を様々なＭＳＣに登録する。たとえば、ＭＳは、アクセス・チャネルを使用してＭＳＣに登録信号を送ることにより、その位置にサービスしているＭＳＣに登録する。このようにして、ＭＳＣは、ＭＳがそこから登録した最新のＬＡを記憶することができる。たとえば、ＭＳＣは、現在の登録情報（たとえばＭＳがそこから最後に登録したＬＡの識別）をロケーション・レジスタまたはデータベースに記憶することができる。好都合には、その他のＭＳＣのロケーション・レジスタまたはデータベースもそれに応じて更新される。この例では、探されるＭＳが最後にＬＡ５から登録したとすると、従来のＬＡＣページング・プロトコルでは、灰色で強調表示された全てのＬＡ、すなわち、ＬＡ５（つまりＭＳの最後に知られたＬＡ）をＬＡ３、ＬＡ４、ＬＡ９、ＬＡ１２およびＬＡ６（つまりＭＳの最後に知られたＬＡを取り囲んでいる隣接する全てのＬＡ）と一緒にページングすることになる。
【０００９】
ＬＡＣページングは、ＬＡ境界を横切ったＭＳの位置を特定するのには確かに有効であるが、１個のＬＡおよびその周囲の全てのＬＡによって包含される地理的エリアがまだかなり大きく、その結果、かなりの数のセルが所与のＬＡＣページングによって影響され、かなりの量のページング・チャネル帯域幅が使用されるので、依然として不利な点が残る。したがって、対応するＬＡＣページングのページング応答率を大きく下げることなく、すなわち、ＬＡＣページングで探されるＭＳの位置を検証または確定する可能性をあまり低くすることなく、ＬＡＣページングによってページングされる地理的エリアを小さくすることが望ましい。
【発明の開示】
【発明が解決しようとする課題】
【００１０】
したがって、上記で言及した問題その他を克服する、無線遠隔通信ネットワーク用の改良された新しいページング・システムおよび／または方法が開示される。
【課題を解決するための手段】
【００１１】
一実施形態によれば、無線遠隔通信ネットワークによってサービスされる移動局をページングする方法が提供される。このネットワークは、移動局がネットワークにアクセスするために選択的に使用する対応するセルにサービスする複数の基地局を含む。複数の位置登録エリアが定義され、それぞれ複数の前述のセルを含む。この方法は、移動局が新しい位置登録エリアに入る度に移動局から登録信号を受信する工程と、登録信号が最後にそこから受信された位置登録エリアを記憶する工程と、移動局がどのセルを使用してネットワークにアクセスしているかモニタする工程と、移動局がネットワークにアクセスするのに最後に使用したセルを記憶する工程と、移動局が探されているとき、選択された位置登録エリアをページングする工程であって、ページングされる位置登録エリアが記憶済み位置登録エリアおよび記憶済みセルに基づいて選択される工程とを含む。
【００１２】
他の態様によれば、無線遠隔通信ネットワークによってサービスされる移動局をページングするためのシステムが提供される。このネットワークは、移動局がネットワークにアクセスするために選択的に使用する対応するセルにサービスする複数の基地局を含む。複数の位置登録エリアが定義され、各位置登録エリアはそれぞれ複数の前述のセルを含む。このシステムは、移動局が新しい位置登録エリアに入る度にその移動局から登録信号を受信するための受信手段と、登録信号がそこから最後に受信された位置登録エリアを記憶する位置登録エリア記憶手段と、移動局がネットワークにアクセスするためにどのセルを使用するかモニタするモニタリング手段と、移動局がネットワークにアクセスするために最後に使用したセルを記憶するセル記憶手段と、移動局が探されているとき、選択された位置登録エリアをページングするページング手段であって、ページングされる位置登録エリアが位置登録エリア記憶手段にある記憶済み位置登録エリアおよびセル記憶手段にある記憶済みセルに基づいて選択されるページング手段とを含む。
【００１３】
本明細書中で開示される本発明の主題の多数の利点および利益は、本明細書を読み理解すれば、当業者には明らかになるであろう。
本発明の主題は、様々な構成要素および構成要素の構成、ならびに様々な工程および工程の構成の形をとることができる。図面は、例示的実施形態を示すためのものにすぎず、限定的であると解釈されるべきではない。さらに、図面は比例しないことを理解されたい。
【発明を実施するための最良の形態】
【００１４】
分かりやすく簡単にするために、本明細書は、構造的要素および／または機能的要素、エンティティおよび／または設備、関連する通信規格、プロトコルおよび／またはサービス、ならびに遠隔通信技術分野においては普通に知られているその他の構成要素および特徴を、本明細書中に提示された実施形態に従ってかつ／またはその実施形態に対応するために修正または変更された場合を除き、それらの構成または動作についてはさらに詳しく説明することなく、使用する。
【００１５】
図２を参照すると、遠隔通信ネットワークＡは、通常の方式でＭＳＣ２０に動作可能に接続されかつ／またはそれと通信する公衆交換電話網１０を含む。ＭＳＣ２０は通常の方式で複数の基地局３０に動作可能に接続されかつ／またはそれらと通信する。当技術分野ではよく知られているように、各ＢＳ３０はそれぞれの地理的エリアすなわちセル３２のためのＯＴＡ無線周波インターフェースを提供する。（図の例示的ＭＳ４０などの）ＭＳは、そのＭＳが位置するセルにサービスするインターフェースおよび／またはＢＳを介して、遠隔通信サービスを提供されかつ／またはそれ以外の形でネットワークＡに選択的にアクセスする。通常の方式では、ＢＳ３０とＭＳ４０の間で、２本の通信チャネル、すなわちページング・チャネルとアクセス・チャネルが選択的に利用される。ページング・チャネルは、ネットワークＡ内のＭＳ４０の位置を検証しかつ／または確定し、着呼をＭＳ４０に送達するために使用される。アクセス・チャネルは、ＭＳ４０によって登録目的で、すなわちＭＳ４０の電源オンの報告、ＭＳ４０の位置変更報告などのために使用される。
【００１６】
図２では分かりやすく簡単にするために、１つのＭＳＣしか示していないが、ネットワークＡは、実際には、同様に配置されかつ／または構成された１つまたは複数のＭＳＣをいくつでも含むことができることを理解されたい。さらに、図２には３つのＢＳ３０および３つの対応するセル３２を示しているが、ネットワークＡ内の１つまたは複数のＭＳＣのどれについても、３つより多いまたは３つより少ない基地局およびまたはセルを同様に配置することができることを理解されたい。すなわち、ネットワークＡ内の各ＭＳＣは、任意選択で、１つまたは複数の基地局および／または対応するセルのいくつにでもサービスすることができる。さらに、図２には１個の例示的ＭＳしか示していないが、ネットワークＡは、任意選択で、１個または複数のセル３２のうちの任意のセルに同様に配置されかつ／または構成された１個または複数の移動局のいくつにでもサービスすることができる。
【００１７】
図３を参照すると、隣接する地理的エリアにサービスする、ネットワークＡの３つのＭＳＣ２０が示されている。これらは、区別するために、ＭＳＣ１、ＭＳＣ２およびＭＳＣ３で表す。各ＭＳＣ２０は、複数のＬＡ２２に分割されたカバレッジ・エリアを有する。区別するために、これらは、ＬＡ１〜ＬＡ１４で表す。図の例では、ＭＳＣ１はＬＡ１〜ＬＡ８にサービスし、ＭＳＣ２はＬＡ９〜ＬＡ１１にサービスし、ＭＳＣ３はＬＡ１２〜ＬＡ１４にサービスする。各ＬＡ２２は、たとえば、ＬＡ５に示されるように、複数のセル３２を含む。移動局４０は、ＬＡ２２の間を移動するとき、新しいＬＡ２２に入る度に、すなわち１個のＬＡ２２から次に移る度に、つまりＬＡ境界を横切る度に、現在の位置を様々なＭＳＣ２０に登録する。たとえば、ＭＳ４０は、アクセス・チャネルを使用してＭＳＣ２０に登録信号を送ることにより、自分の位置にサービスするＭＳＣ２０に登録する。このようにして、ＭＳＣ２０は、ＭＳ４０がそこから登録した最新のＬＡ２２を記憶することができる。たとえば、ＭＳＣ２０は、現在の登録情報（たとえば、ＭＳがそこから最後に登録したＬＡの識別）をロケーション・レジスタまたはデータベース２４に記憶することができる（図２参照）。好都合には、その他のＭＳＣ２０のロケーション・レジスタまたはデータベースはそれに応じて更新される。あるいは、データベース２４は、ネットワークＡ内で、ＭＳＣのそれぞれからアクセス可能なように配置される。
【００１８】
ＭＳ４０がそこから登録した最後のつまり最新のＬＡ２２の他に、ＭＳ４０によってアクセスされた最後のつまり最新のセル３２もネットワークＡによってモニタリングされかつ／または記憶される。この情報は、任意選択で、現在の登録情報と一緒にかつ／またはその一部分としてデータベース２４に記憶される。セル・アクセス・イベントは、ＭＳ４０がセル３２にアクセスする、すなわち、ＭＳ４０が伝送データを、ＢＳ３０へ送信する、それから受信する、またはそれ以外の方法でそれと交換するイベントを含む。たとえば、セル・アクセス・イベントには、ＭＳ４０の登録、ＭＳ４０による着呼の受信、ＭＳ４０による発呼の発信、パケット・データのＭＳ４０への送信またはそれからの受信、ショート・メッセージ・サービス（ＳＭＳ）メッセージの受信または送信などが含まれ得る。これらのアクティビティごとに、ネットワークＡは、ＭＳ４０がどのＢＳ３０および／またはセル３２を使用しているか判別することができる。好都合には、このセルの位置および／または識別は、セル・アクセス・イベントごとに、たとえばＭＳＣ２０によって、捕捉されかつ／または更新される。次いで、好都合には、最後のつまり最新のセル・アクセス・イベントで、捕捉されたセルの位置および／または識別は、ＭＳ４０が登録した最後のつまり最新のＬＡを含む現在の登録情報と一緒にまたはその一部として、データベース２４に維持または記憶される。
【００１９】
好都合には、ネットワークＡによってＭＳ４０が探されるとき、そのＭＳ４０をページングするために、カスタマイズされたＬＡＣ（ＣＬＡＣ）ページング・プロトコルが利用される。ＣＬＡＣプロトコルは、たとえばデータベース２４中の、ＭＳの最後に知られたＬＡおよびＭＳの最後に知られたセルを含む現在の登録情報を使用して、どのＬＡ２２がページングされるべきかを判別する。すなわち、ネットワークＡは、ＭＳ４０がそこから登録した最後のつまり最新のＬＡ２２、およびＭＳ４０が最後のつまり最新のセル・アクセス・イベントの間に使用するセル３２を知りかつ／または記憶し、ＣＬＡＣページング・プロトコルは、ＭＳ４０を探すときに、この情報に基づいてどのＬＡ２２がページングされるべきかを判別する。
【００２０】
説明のために、ＭＳ４０がそこから登録した最後のつまり最新のＬＡ２２は、本明細書では、最後に登録されたＬＡ２２と呼び、ＭＳ４０により最後のつまり最新のセル・アクセス・イベントのために使用されたセル３２は、本明細書では、最後に使用されたセル３２と呼ぶ。適切なＣＬＡＣページング・プロトコルに従って、最後に登録されたＬＡ２２がページングされる。任意選択で、最後に登録されたＬＡ２２内で最後に使用されたセル３２の位置に応じて、最後に登録されたＬＡ２２に隣接するいくつかの特定のＬＡ２２もページングされる。好都合には、最後に使用されたセル３２が最後に登録されたＬＡ２２の内部にまたはその中央よりにある場合、隣接するどのＬＡ２２も、最後に登録されたＬＡ２２と一緒にページングされることはない、すなわち、最後に登録されたＬＡ２２だけがページングされる。他方、最後に使用されたセル３２が最後に登録されたＬＡ２２の外部境界上に、あるいは外部境界よりにある場合は、最後に使用されたセル３２に最も近い１つまたは複数の隣接するＬＡ２２も最後に登録されたＬＡ２２と一緒にページングされる。ただし、一緒にページングされる隣接したＬＡ２２の数は、好都合には、最後に登録されたＬＡ２２に隣接するＬＡ２２の総数より少ない。このようにして、最後に登録されたＬＡ２２に隣接する全てのＬＡ２２が最後に登録されたＬＡ２２と一緒にページングされる従来のＬＡＣページングに比べて、ページング・チャネル帯域幅が節約される。
【００２１】
ＬＡ５が最後に登録されたＬＡ２２であるとして、以下のそれぞれ異なる５つの場合に、例示的ＣＬＡＣページング・プロトコルによって行われるページング判別について考察する。（ｉ）最後に使用されたセル３２が１で表されるセルである場合、（ｉｉ）最後に使用されたセル３２が２で表されるセルである場合、（ｉｉｉ）最後に使用されたセル３２が３で表されるセルである場合、（ｉｖ）最後に使用されたセル３２が４で表されるセルである場合、および（ｖ）最後に使用されたセル３２が５で表すセルである場合。
【００２２】
（ｉ）の場合、セル１はＬＡ５内の十分に内部または中央にあるとみなされ、したがって、ＣＬＡＣページング・プロトコルはＬＡ５のページングだけを求める。（ｉｉ）の場合、セル２はＬＡ５の外部境界の十分近くに、または外部境界上にあるとみなされ、したがって、ＣＬＡＣページング・プロトコルはＬＡ５のページングを、セル２に十分近い隣接するＬＡおよび／または最も近い隣接するＬＡ、すなわち、この場合はＬＡ４およびＬＡ９のページングと一緒に求める。（ｉｉｉ）の場合、セル３はＬＡ５の外部境界の十分近くに、または外部境界上にあるとみなされ、したがって、ＣＬＡＣページング・プロトコルはＬＡ５のページングを、セル３に十分近い隣接するＬＡおよび／または最も近い隣接するＬＡ、すなわち、この場合はＬＡ９およびＬＡ１２のページングと一緒に求める。（ｉｖ）の場合、セル４はＬＡ５の外部境界の十分近くに、または外部境界上にあるとみなされ、したがって、ＣＬＡＣページング・プロトコルはＬＡ５のページングを、セル４に十分近い隣接するＬＡおよび／または最も近い隣接するＬＡ、すなわち、この場合はＬＡ１２だけのページングと一緒に求める。（ｖ）の場合、セル５はＬＡ５の外部境界の十分近くに、または外部境界上にあるとみなされ、したがって、ＣＬＡＣページング・プロトコルはＬＡ５のページングを、セル５に十分近い隣接するＬＡおよび／または最も近い隣接するＬＡ、すなわち、この場合はＬＡ３、ＬＡ４およびＬＡ６のページングと一緒に求める。
【００２３】
ＬＡ５は、合計５つの隣接するＬＡ２２、すなわち、ＬＡ３、ＬＡ４、ＬＡ９、ＬＡ１２およびＬＡ６を有することに留意されたい。従来のＬＡＣページングでは、上記で提案したそれぞれ異なる場合に関係なく、５つの隣接するＬＡ２２が全てページングされる。しかし、本明細書中で提案されるようなＣＬＡＣページング・プロトコルを使うと、それぞれ異なる場合でのページングをカスタマイズすることによって、ページング・チャネル帯域幅が節約される。カスタマイズされたページングは、所与のどんな場合にも、隣接するＬＡ２２が全てページングされるのではなく（たとえば、最少のＬＡ２２がページングされ）、同時に、正しいＬＡ２２すなわち探されているＭＳ４０が位置するＬＡ２２がページングされる可能性が最大になるように選択される。たとえば、最後に使用されたセル３２がＬＡ６よりＬＡ４に近いＬＡ５の中に位置していたとすれば、ＭＳ４０がすでにＬＡ５にいない場合は、より遠いＬＡ６ではなく、より近いＬＡ４に移動した可能性のほうが大きいと推定するのが妥当である。したがって、ページング・チャネル帯域幅を節約すると同時に、ページングがＭＳ４０に実際に到達する可能性を大きくするためには、ＬＡ４（すなわち、ＭＳ４０が見つけられる可能性のより高いＬＡ２２）をページングし、ＬＡ６（すなわち、ＭＡ４０が見つけられる可能性のより低いＬＡ２２）はページングしないことが有益である。
【００２４】
もちろん、ＣＬＡＣページング・プロトコルは、隣接するＬＡ２２の関連する配置および／またはＬＡ２２内のセル３２の構成に応じて、ネットワークＡ内の場所によって変わる可能性がある。すなわち、ＣＬＡＣページング・プロトコルは、任意選択で、個々のエリア内のＬＡおよび／またはセルの個々のレイアウト、および／またはその他の地理的考慮要件に対応するように微調整され、あるいはそれ以外の方法で調整される。所与のＬＡ２２では、ＣＬＡＣページング・エリアをＬＡ２２内の各セル３２にマップするために、好都合には、ルックアップ・テーブル（ＬＵＴ）または同等物を使用する。たとえば、ＬＡ５用のＬＵＴは、ＬＡ５内の各セル３２を１個または複数のＬＡ２２を含むＣＬＡＣページング・エリアに関連付ける。したがって、最後に登録されたＬＡ２２がＬＡ５である場合、ＬＡ５用のＬＵＴがアクセスされる。アクセスされたＬＡ５用のＬＵＴを使用する場合、最後に使用されたセル３２が、そのセル３２用のＣＬＡＣページング・エリアを探すための指標として使用される。したがって、ＬＵＴ中でセル３２用のＣＬＡＣページング・エリアの一部として識別されたＬＡ２２がページングされる。
【００２５】
適切には、ＣＬＡＣページング・プロトコルは多層またはマルチレベル・ページング・アーキテクチャで利用される。ページング・アーキテクチャの各層または各レベルは、１つのページングの試みを表す。ＭＳ４０を要求する着呼がＭＳＣ２０に到達したとき、ページングの試みは、ＭＳ４０がそのページングに応答するまで、あるいは最後のレベルまたは層に到達するまで、それらのレベルまたは層を順に通過して進み続ける。任意選択の第１のレベルまたは層では、第１のページングの試みは、適切には最後に登録されたＬＡ２２だけのページングに限定される。任意選択の第２のレベルまたは層では、第２のページングの試みは、適切にはＣＬＡＣページング・プロトコルを利用する。任意選択の第３のレベルまたは層では、第３のページングの試みは、適切には従来のＬＡＣページングである。
【００２６】
本明細書中に提示された具体的な例示的実施形態に関連するいくつかの構造的特徴および／または機能的特徴は、定義済み要素および／または構成要素に組み込まれているものとして記述されていることを理解されたい。ただし、これらの特徴は、同じまたは同じような利益を得るために、適当な場合は、その他の要素および／または構成要素にも同様に組み込まれ得ることが企図されている。また、例示的実施形態の様々な側面を選択的に適宜利用して、所望の用途に適したその他の代替実施形態を実現し、それによって、それらに組み込まれている諸態様のそれぞれの利点を実現することができることも理解されたい。
【００２７】
本明細書に記載の特定の要素または構成要素の機能は、ハードウェア、ソフトウェア、ファームウェアまたはそれらの組合せを使って適切に実施することができることも理解されたい。さらに、一緒に組み込まれたものとして本明細書に記載されたいくつかの要素は、適切な環境では独立型の要素でもよく、あるいは分割されてもよいことを理解されたい。同様に、１つの特定の要素によって実行されるものとして記載された複数の特定の機能を、それぞれ独立に個々の機能を実行するように動作する複数の別個の要素によって実行させることも可能であり、いくつかの個々の機能を分割して、協調して動作する複数の別個の要素によって実行させることも可能である。あるいは、本明細書中で互いに別個のものとして別に記載されかつ／または示されたいくつかの要素または構成要素は、適当な場合には、物理的にまたは機能的に組み合わせることができる。
【００２８】
要するに、本明細書では、好ましい実施形態に関して説明してきた。明らかに、本明細書を読み理解すれば、修正形態および変更形態を思いつくであろう。本発明は、そのような修正形態および変更形態が添付の特許請求の範囲またはその同等物の範囲内にある限り、それらを全て含むと解釈されるものとする。
【図面の簡単な説明】
【００２９】
【図１】無線または移動遠隔通信ネットワークで従来のＬＡＣページング・プロトコルをどのように実装するかを示す図である。
【図２】本発明の主題の諸態様を実施するのに適した遠隔通信ネットワークを示す図である。
【図３】本発明の主題の諸態様を実施したカスタマイズされたＬＡＣページング・プロトコルの例示的実施態様を示すのに使用される図である。
【図１】
2006238450.tif 000003
【図２】
2006238450.tif 000004
【図３】
2006238450.tif 000005